(57)【要約】【課題】太陽光が照射される場所で使用可能であるブースおよびブース一体型装置を提供するものである。【解決手段】自動取引装置２を覆う構造のブース３であって、自動取引装置２の左右何れかの側面を覆い、自動取引装置２の側面との間に側部空間Ｋ１ａ，Ｋ１ｂを形成する側壁３２，３３と、自動取引装置２の背面を覆い、自動取引装置２の背面との間に後部空間Ｋ１ｃを形成する３４後壁と、自動取引装置２の上部に位置し、電子機器４２，４３を収納する収納部３ａと、を備え、収納部３ａと側部空間Ｋ１ａ，Ｋ１ｂおよび後部空間Ｋ１ｃとはそれぞれ繋がっており、側部空間Ｋ１ａ，Ｋ１ｂに繋がる第１空間Ｋ２ａと後部空間Ｋ１ｃに繋がる第２空間Ｋ２ｂとに収納部３ａを区切る仕切り部３９を有し、第１空間Ｋ２ａおよび第２空間Ｋ２ｂの何れか一方に電子機器４２，４３が収納される。【選択図】図５
2019168825.tif 000002
【特許請求の範囲】
【請求項１】
自動取引装置を覆う構造のブースであって、
前記自動取引装置の左右何れかの側面を覆い、前記自動取引装置の側面との間に側部空間を形成する側壁と、
前記自動取引装置の背面を覆い、前記自動取引装置の背面との間に後部空間を形成する後壁と、
前記自動取引装置の上部に位置し、電子機器を収納する収納部と、を備え、
前記収納部と前記側部空間および前記後部空間とはそれぞれ繋がっており、
前記側部空間に繋がる第１空間と前記後部空間に繋がる第２空間とに前記収納部を区切る仕切り部を有し、
前記第１空間および前記第２空間の何れか一方に前記電子機器が収納される、
ことを特徴とするブース。
【請求項２】
前記側壁および前記後壁の少なくとも何れか一方は、断面視で波状を呈する部材である、ことを特徴とする請求項１に記載のブース。
【請求項３】
前記電子機器が収納される前記第１空間および前記第２空間の何れか一方には、排熱部が設置されている、
ことを特徴とする請求項１または請求項２に記載のブース。
【請求項４】
前記排熱部と前記電子機器をつなぐダクトをさらに備える、ことを特徴とする請求項３に記載のブース。
【請求項５】
自動取引装置を覆う構造のブースであって、
前記自動取引装置の左右何れかの側面を覆い、前記自動取引装置の側面との間に側部空間を形成する側壁と、
前記自動取引装置の背面を覆い、前記自動取引装置の背面との間に後部空間を形成する後壁と、
前記自動取引装置の上部に位置し、電子機器を収納する収納部と、を備え、
前記収納部と前記側部空間および前記後部空間とはそれぞれ繋がっており、
前記収納部には排熱部が設置されている、
ことを特徴とするブース。
【請求項６】
前記側部空間および前記後部空間は、前記側壁および前記後壁を支持する支持部材の隙間である、
ことを特徴とする請求項１ないし請求項５の何れか一項に記載のブース。
【請求項７】
自動取引装置と、
請求項１ないし請求項６の何れか一項に記載のブースと、を備える、
ことを特徴とするブース一体型装置。
【請求項８】
前記自動取引装置の側面には、吸気部が設置されており、
前記自動取引装置の背面には、排気部が設置されており、
前記側部空間は前記吸気部に対応した位置に形成されており、
前記後部空間は前記排気部に対応した位置に形成されている、
ことを特徴とする請求項７に記載のブース一体型装置。
【請求項９】
前記電子機器は、前記自動取引装置の通信機器、前記ブースに備えられた表示装置の制御機器、および警報機器の少なくとも何れかである、
ことを特徴とする請求項７または請求項８に記載のブース一体型装置。
【発明の詳細な説明】
【技術分野】
【０００１】
本発明は、ブースおよびブース一体型装置に関する。
【背景技術】
【０００２】
コンビニエンスストアなどに設置される現金自動預払い機等の自動取引装置（ＡＴＭ：Automated /Automatic Teller Machine）は、ブースと呼ばれる外装が取り付けられている（特許文献１参照）。
【０００３】
従来、防犯用の警報装置や広告表示用のディスプレイをブースに実装させたものが存在する。設置スペースをできる限り狭くするために、自動取引装置の上部に収納スペースを確保し、その収納スペースにこれらの機器を収納することが考えられている。
【先行技術文献】
【特許文献】
【０００４】
【特許文献１】特開２００７−０１１４８０号公報
【発明の概要】
【発明が解決しようとする課題】
【０００５】
自動取引装置をコンビニエンスストア等のガラス張りの店舗に設置する場合を想定する。太陽光がガラス張りの壁を介してブースに照射されると、ブース内部の温度は上がり、熱せられた空気は上昇して自動取引装置の上部の収納スペースに移動する。その結果、収納スペース内の温度が収納する電子機器の許容温度を超えてしまい、電子機器が壊れてしまう虞があった。このことは、自動取引装置をガラス張りの壁際に近づけて設置する場合に特に問題になる。
【０００６】
本発明は、前記問題に鑑みてなされたものであり、太陽光が照射される場所で使用可能であるブースおよびブース一体型装置を提供するものである。
【課題を解決するための手段】
【０００７】
前記課題を解決するため、本発明の一態様に係るブースは、自動取引装置を覆う構造のブースであって、前記自動取引装置の左右何れかの側面を覆い、前記自動取引装置の側面との間に側部空間を形成する側壁と、前記自動取引装置の背面を覆い、前記自動取引装置の背面との間に後部空間を形成する後壁と、前記自動取引装置の上部に位置し、電子機器を収納する収納部と、を備え、前記収納部と前記側部空間および前記後部空間とはそれぞれ繋がっており、前記側部空間に繋がる第１空間と前記後部空間に繋がる第２空間とに前記収納部を区切る仕切り部を有し、前記第１空間および前記第２空間の何れか一方に前記電子機器が収納されることを特徴とする。
【０００８】
また、本発明の一態様に係るブースは、自動取引装置を覆う構造のブースであって、前記自動取引装置の左右何れかの側面を覆い、前記自動取引装置の側面との間に側部空間を形成する側壁と、前記自動取引装置の背面を覆い、前記自動取引装置の背面との間に後部空間を形成する後壁と、前記自動取引装置の上部に位置し、電子機器を収納する収納部と、を備え、前記収納部と前記側部空間および前記後部空間とはそれぞれ繋がっており、前記収納部には排熱部が設置されていることを特徴とする。
【０００９】
また、本発明の一態様に係るブース一体型装置は、自動取引装置と、前記記載のブースとを備えるものである。
【発明の効果】
【００１０】
本発明によれば、太陽光が照射される場所で使用可能である。
【図面の簡単な説明】
【００１１】
【図１】本発明の第一実施形態に係るブース一体型装置の外観斜視図である。
【図２】本発明の第一実施形態に係るブース一体型装置の分解斜視図である。
【図３】本発明の第一実施形態に係るブースの分解斜視図である。
【図４】図１のＩＶ−ＩＶに対応する横断面図であり、自動取引装置を仮想線で示している。
【図５】図１のＶ−Ｖに対応する横断面図であり、自動取引装置を仮想線で示している。
【図６】図１のＶＩ−ＶＩに対応する縦断面図であり、自動取引装置を仮想線で示している。
【図７】図１のＶＩＩ−ＶＩＩに対応する縦断面図であり、自動取引装置を仮想線で示している。
【図８】本発明の第二実施形態に係るブース一体型装置の横断面図（図１のＩＶ−ＩＶに対応）である。
【図９】本発明の第二実施形態に係るブース一体型装置の横断面図（図１のＶ−Ｖに対応）である。
【図１０】本発明の第三実施形態に係るブース一体型装置の収納部における縦断面図である。
【図１１】本発明の第四実施形態に係るブース一体型装置の収納部における縦断面図である。
【図１２】本発明の第五実施形態に係るブース一体型装置の収納部における縦断面図である。
【発明を実施するための形態】
【００１２】
以下、図面を参照して、本発明の実施の形態について詳細に説明する。各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１３】
［第一実施形態］
≪第一実施形態に係るブース一体型装置１の構成≫
図１ないし図５を参照して、第一実施形態に係るブース一体型装置１の構成を説明する。第一実施形態に係るブース一体型装置１の説明における「上下」、「左右」、「前後」は図１の矢印に従う。当該方向は、説明の便宜上定めるものであり、本発明を限定するものではない（第二ないし第五実施形態についても同様）。
【００１４】
図１に示すブース一体型装置１は、自動取引装置２と、自動取引装置用のブース３と、を備えて構成されている。ブース一体型装置１は、例えばコンビニエンスストア、スーパーマーケット、駅構内などに設置される。
【００１５】
＜自動取引装置２＞
自動取引装置２は、顧客に対して金融サービスを提供するためのアクセスポイントとしての役割を果たすものであり、ネットワーク（例えば、専用回線）を介して銀行ホストシステム（図示せず）に接続されている。自動取引装置２は、例えば、顧客の操作により受け付けた取引要求に応じて、銀行ホストシステムに対して取引要求電文を送信し、その応答として銀行ホストシステムから取引応答電文を受信する。また、自動取引装置２は、取引応答電文を受信した場合に取引を完了させ、顧客に対して取引結果を知らせる。これにより、１件の取引が成立する。
【００１６】
図２に示すように、ここでの自動取引装置２は、箱型を呈しており、各々が平坦な天井部２ａ、左側面２ｂ、右側面２ｃおよび背面２ｄを有する。
なお、図２に示す自動取引装置２の形状は例示であって、自動取引装置２の形状や構成は図２に示すものに限定されない。例えば、天井部２ａ、左側面２ｂ、右側面２ｃおよび背面２ｄは、凹凸や曲面を含むものであってよい。
【００１７】
自動取引装置２の左側面２ｂおよび右側面２ｃには、外気を自動取引装置２内に取り込むための吸気用ファン４（吸気部）が設置されている。また、自動取引装置２の背面２ｄには、内気を自動取引装置２外に送り出すための排気用ファン５（排気部）が設置されている。排気用ファン５は、吸気用ファン４に対して高い位置に設置されている。なお、図２に示す吸気用ファン４および排気用ファン５の位置や数は例示である。
【００１８】
＜ブース３＞
ブース３は、設置される場所に応じた様々な機能（例えば、装飾機能、防犯機能、広告機能など）を提供するものである。図１に示すように、ブース３は、自動取引装置２に取り付けられることで自動取引装置２の天井部２ａ、左側面２ｂ、右側面２ｃおよび背面２ｄを覆うようになっている。
【００１９】
図３に示すように、ブース３は、主に、上壁３１と、左側壁３２と、右側壁３３と、後壁３４と、前カバー３５と、柱部３６Ｌ，３６Ｒと、補強部３７Ｌ，３７Ｒと、棚板３８と、仕切り部３９と、覗き見防止板４０と、を有する。
【００２０】
左側壁３２は、自動取引装置２の左側面２ｂを覆う部材であり、左側面２ｂに設置される吸気用ファン４（図２参照）を少なくとも覆い隠すことができる形状および大きさである。ここでの左側壁３２は、平板材であり、自動取引装置２の左側面２ｂに対応して、左側壁３２の下部が前方に張り出した形状を呈している。左側壁３２の上部には、通気孔３２ａが形成されている。
【００２１】
右側壁３３は、自動取引装置２の右側面２ｃを覆う部材であり、右側面２ｃに設置される吸気用ファン４（図２参照）を少なくとも覆い隠すことができる形状および大きさである。ここでの右側壁３３は、平板材であり、自動取引装置２の右側面２ｃに対応して、右側壁３３の下部が前方に張り出した形状を呈している。右側壁３３の上部には、通気孔３３ａが形成されている。
【００２２】
後壁３４は、自動取引装置２の背面２ｄを覆う部材であり、背面２ｄに設置される排気用ファン５（図２参照）を少なくとも覆い隠すことができる形状および大きさである。ここでの後壁３４は、長方形状を呈している。後壁３４の上部には、通気孔３４ａが形成されている。
【００２３】
図３に示すように、左側壁３２と後壁３４とによって形成される角部には、柱部３６Ｌが設置されており、また、右側壁３３と後壁３４とによって形成される角部には、柱部３６Ｒが設置されている。柱部３６Ｌ，３６Ｒは、ブース３を支えることができればよく、材質や形状などは特に限定されない。ここでの柱部３６Ｌ，３６Ｒは、断面視でＬ字状の縦材である。柱部３６Ｌの一方の長辺端部は後壁３４に当接しており、他方の長辺端部は左側壁３２に当接している。また、柱部３６Ｒの一方の長辺端部は後壁３４に当接しており、他方の長辺端部は右側壁３３に当接している。また、柱部３６Ｌ，３６Ｒの上端は、上壁３１まで到達しており、上壁３１に当接している。以下では、柱部３６Ｌ，３６Ｒを区別しないで説明する場合に「柱部３６」と称する場合がある。なお、柱部３６Ｌ，３６Ｒは、支持部材の一例である。
【００２４】
図３に示すように、左側壁３２の前部には、柱部３６Ｌに対して平行になるように補強部３７Ｌが設置されている。また、右側壁３３の前部には、柱部３６Ｒに対して平行になるように補強部３７Ｒが設置されている。補強部３７Ｌ，３７Ｒは、左側壁３２および右側壁３３の変形を防ぐことができればよく、材質や形状などは特に限定されない。ここでの補強部３７Ｌ，３７Ｒは、断面視でコの字状（Ｃ字状）の縦材である。補強部３７Ｌの両方の長辺端部はともに左側壁３２に当接している。また、補強部３７Ｒの両方の長辺端部はともに右側壁３３に当接している。また、補強部３７Ｌ，３７Ｒの上端は、上壁３１まで到達しており、上壁３１に当接している。以下では、補強部３７Ｌ，３７Ｒを区別しないで説明する場合に「補強部３７」と称する場合がある。なお、補強部３７Ｌ，３７Ｒは、支持部材の一例である。
【００２５】
図４に示すように、柱部３６Ｌと柱部３６Ｒとの間の距離Ｌ１は、自動取引装置２の左右方向の幅Ｌ０よりも狭くなっている。また、補強部３７Ｌと補強部３７Ｒとの間の距離Ｌ２は、自動取引装置２の左右方向の幅Ｌ０と同じか少しだけ広くなっている。また、左側壁３２と右側壁３３との間の距離Ｌ３は、自動取引装置２の左右方向の幅Ｌ０よりも広くなっている。ブース３を自動取引装置２に取り付ける場合、自動取引装置２の背面２ｄをブース３の柱部３６Ｌ，３６Ｒに当接するとともに、自動取引装置２の左側面２ｂ、右側面２ｃをブース３の補強部３７Ｌ，３７Ｒに当接する。
【００２６】
その結果、ブース３を自動取引装置２に取り付けた場合に、自動取引装置２の左側には、自動取引装置２の左側面２ｂ、柱部３６Ｌ、補強部３７Ｌおよびブース３の左側壁３２によって、左側部空間Ｋ１ａが形成される。左側部空間Ｋ１ａには、左側面２ｂに設置された吸気用ファン４が面しており、吸気用ファン４は、左側部空間Ｋ１ａ内の空気を自動取引装置２内に吸い込む。
【００２７】
また、ブース３を自動取引装置２に取り付けた場合に、自動取引装置２の右側には、自動取引装置２の右側面２ｃ、柱部３６Ｒ、補強部３７Ｒおよびブース３の右側壁３３によって、右側部空間Ｋ１ｂが形成される。右側部空間Ｋ１ｂには、右側面２ｃに設置された吸気用ファン４が面しており、吸気用ファン４は、右側部空間Ｋ１ｂ内の空気を自動取引装置２内に吸い込む。
【００２８】
また、ブース３を自動取引装置２に取り付けた場合に、自動取引装置２の後側には、自動取引装置２の背面２ｄ、二つの柱部３６Ｌ，３６Ｒおよびブース３の後壁３４によって、後部空間Ｋ１ｃが形成される。後部空間Ｋ１ｃには、背面２ｄに設置された排気用ファン５が面しており、排気用ファン５は、自動取引装置２内の空気を後部空間Ｋ１ｃに排出する。
【００２９】
図３に示すように、棚板３８は、図示しない固定手段（例えば、ネジ）を用いて上壁３１に対して平行になるように設置される。棚板３８の左右方向の幅は、補強部３７Ｌと補強部３７Ｒとの間の距離Ｌ２（図４参照）と同じである。棚板３８の左側面前部は、補強部３７Ｌに固定されており、棚板３８の右側面前部は、補強部３７Ｒに固定されている。また、棚板３８の後面左部は、柱部３６Ｌに固定されており、棚板３８の後面右部は、柱部３６Ｒに固定されている。
【００３０】
ブース３を自動取引装置２に取り付ける場合、棚板３８を自動取引装置２の天井部２ａに載置する（つまり、棚板３８の下面が自動取引装置２の天井部２ａに当接する）。なお、ブース３が自立する構成であってもよい。その場合でも棚板３８を自動取引装置２の天井部２ａに当接させるようにする。
【００３１】
図２に示すように、ブース３は、上壁３１、左側壁３２の上部、右側壁３３の上部、前カバー３５、後壁３４の上部および棚板３８によって形成される収納空間Ｋ２を有する。前カバー３５は、左側壁３２の前上部に回動可能に取り付けられている。図１に示すように、前カバー３５の前面（前カバー３５の外側）には、ディスプレイ４１が設置されている。このディスプレイ４１は、例えば、自動取引装置２の操作者に対する広告を表示する。
【００３２】
以下では、収納空間Ｋ２を形成するこれらの構成要素をまとめて収納部３ａと称する。つまり、ここでの収納部３ａは、上壁３１、左側壁３２の上部、右側壁３３の上部、前カバー３５、後壁３４の上部および棚板３８によって構成され、内部に収納空間Ｋ２を有する。
【００３３】
収納空間Ｋ２は、図４に示す左側部空間Ｋ１ａ、右側部空間Ｋ１ｂおよび後部空間Ｋ１ｃに繋がっている。つまり、棚板３８の左右および後には、左側部空間Ｋ１ａ、右側部空間Ｋ１ｂおよび後部空間Ｋ１ｃと同じ隙間が形成されている。
【００３４】
図３に示す仕切り部３９は、収納空間Ｋ２を二つの空間に仕切るものである。図５に示すように、ここでの仕切り部３９は、収納空間Ｋ２を、左側部空間Ｋ１ａおよび右側部空間Ｋ１ｂに繋がる第１空間Ｋ２ａと、後部空間Ｋ１ｃに繋がる第２空間Ｋ２ｂとに分割するものである。仕切り部３９は、収納空間Ｋ２を第１空間Ｋ２ａおよび第２空間Ｋ２ｂに分割することができればよく、仕切り部３９の材質や形状などは特に限定されない。
【００３５】
ここでの仕切り部３９は、図３に示すように長方形状の薄板材であり、棚板３８の奥側であってブース３の後壁３４に対して平行に設置される。仕切り部３９の上下方向の長さ（つまり、短辺の長さ）は、ブース３の上壁３１と棚板３８との間の距離と同じであるとともに、仕切り部３９の左右方向の長さ（つまり、長辺の長さ）は、ブース３の左側壁３２と右側壁３３との間の距離Ｌ３（図４参照）と同じになっている。仕切り部３９は、例えば、図示しない固定手段（例えば、ネジ）を用いて左右両側を柱部３６Ｌ，３６Ｒに固定されている。
【００３６】
図５に示すように、第１空間Ｋ２ａには、電子機器としての警報機器４２およびその他機器類４３が収納される。
図２に示すように、警報機器４２は、図示しない固定手段（例えば、ネジ）を用いて前カバー３５の背面（前カバー３５の内側）に設置されている。そのため、自動取引装置２の管理者が警報機器４２を操作する場合、前カバー３５を開けることで直ぐに警報機器４２を操作することが可能となっている。
図２に示すように、その他機器類４３は、固定金具４４を用いて棚板３８にまとめて固定されている。その他機器類４３は、例えば、自動取引装置２をネットワークに接続するための通信機器やディスプレイ４１を制御するための制御機器などである。
【００３７】
図３に示す覗き見防止板４０は、自動取引装置２の操作者の動きを周りから見えにくくする部材である。覗き見防止板４０は、補強部３７Ｌ，３７Ｒに形成される溝３７ａに差し込んだ状態で、固定金具４５（図３では左側壁３２のみ図示している）をネジで固定することによって抜けなくなるように固定される（左右とも同じ構造）。
【００３８】
≪第一実施形態に係るブース一体型装置１の使用方法≫
図６および図７を参照して（適宜、図１ないし図５参照）、第一実施形態に係るブース一体型装置１の使用方法を説明する。
本実施形態では、ガラス張りの店舗（例えば、コンビニエンスストア）の壁際に、ブース一体型装置１の背面をガラス張りの壁側に向けて設置する場合を想定する。そのため、晴れの日の日中では、ブース３の後壁３４には大量の太陽光が照射されることになる。
【００３９】
図６に示すように、自動取引装置２の内部で暖められた空気５１（外気に比べて暖かい空気）が排気用ファン５から自動取引装置２の後の後部空間Ｋ１ｃに排出される。ここで、後部空間Ｋ１ｃと第２空間Ｋ２ｂとは繋がっているので、後部空間Ｋ１ｃ内の空気（暖められた空気５１も含む）の一部は、第２空間Ｋ２ｂに移動する。その結果、第２空間Ｋ２ｂ内の気温も合わせて一定程度だけ上昇する。
【００４０】
また、晴れの日では大量の太陽光がブース３の後壁３４に照射されることで、自動取引装置２の後の後部空間Ｋ１ｃおよび第２空間Ｋ２ｂの空気はさらに暖められてより温度上昇する。太陽光により暖められた空気５２は、後部空間Ｋ１ｃおよび第２空間Ｋ２ｂ内を上昇し、後壁３４の上部に設けられた通気孔３４ａから外部に排出される。ここで、収納部３ａの第２空間Ｋ２ｂは、仕切り部３９によって第１空間Ｋ２ａと分けられているので、太陽光により暖められた空気５２が第１空間Ｋ２ａに入り込むことはない。
【００４１】
一方、図７に示すように、自動取引装置２の左側部空間Ｋ１ａおよび右側部空間Ｋ１ｂの一部の空気５３は、自動取引装置２に設置される吸気用ファン４によって内部に吸い込まれる。また、自動取引装置２の左側部空間Ｋ１ａおよび右側部空間Ｋ１ｂの一部の空気５４は、上昇して警報機器４２（図６参照）およびその他機器類４３が収納される第１空間Ｋ２ａに移動し、ブース３の左側壁３２の上部に設けられた通気孔３２ａや右側壁３３の上部に設けられた通気孔３３ａから外部に排出される。
【００４２】
以上のように、第一実施形態に係るブース一体型装置１およびブース３は、収納部３ａの収納空間Ｋ２を、仕切り部３９によって左側部空間Ｋ１ａおよび右側部空間Ｋ１ｂに繋がる第１空間Ｋ２ａと、後部空間Ｋ１ｃに繋がる第２空間Ｋ２ｂとに分割する。そして、左側部空間Ｋ１ａおよび右側部空間Ｋ１ｂに繋がる第１空間Ｋ２ａに警報機器４２およびその他機器類４３を収納する。そのため、ブース一体型装置１の背面（ブース３の後壁３４）に太陽光が照射された場合でも、太陽光により暖められた空気５２が第１空間Ｋ２ａに入り込むことはない。ここで、太陽光により暖められた空気５２は、気象条件などによっては電子機器（ここでは、警報機器４２およびその他機器類４３）が正常に機能する許容温度を超える可能性があるものである。その結果、ブース３に収納する電子機器が許容温度を超えて壊れることを抑制することができるので、太陽光が照射される場所でブース一体型装置１を使用することができる。
【００４３】
［第二実施形態］
≪第二実施形態に係るブース一体型装置１０１の構成≫
図８および図９を参照して、第二実施形態に係るブース一体型装置１０１の構成を説明する。なお、自動取引装置２は、第一実施形態のものと同様である。
【００４４】
第二実施形態に係るブース一体型装置１０１は、ブース１０３の外装が第一実施形態に係るブース３（図１参照）と異なる。本実施形態のブース１０３は、外装の少なくとも一部が断面視で波状を呈している。外装を波状にする領域は、太陽光により暖められた空気５２（図６参照）を収納する空間を構成する部分であるのがよい。ここでは、後部空間Ｋ１ｃ（図８参照）および第２空間Ｋ２ｂ（図９参照）に太陽光により暖められた空気５２が収納されるので、後壁１３４が波板材となっている。
【００４５】
≪第二実施形態に係るブース一体型装置１０１の使用方法≫
第二実施形態に係るブース一体型装置１０１の使用方法は、第一実施形態に係るブース一体型装置１と同様である。
【００４６】
以上のように、第二実施形態に係るブース一体型装置１０１およびブース１０３によっても、第一実施形態と略同等の効果を奏することができる。つまり、ブース一体型装置１０１は、背面に太陽光が照射された場合でも、太陽光により暖められた空気５２が第１空間Ｋ２ａに入り込むことはない。その結果、ブース１０３に収納する電子機器が許容温度を超えて壊れることを抑制することができるので、太陽光が照射される場所でブース一体型装置１０１を使用することができる。
【００４７】
また、第二実施形態に係るブース一体型装置１０１は、ブース１０３の外装に波状の領域を有する。そのため、ブース一体型装置１０１を設置する屋内の温度管理された空気と、太陽光により暖められた空気５２を収納する空間を構成する部材（ここでは、後壁１３４）との接触面積が外装を平板にする場合に比べて増える。その結果、ブース１０３内の熱の放射を促すので、電子機器（ここでは、警報機器４２およびその他機器類４３）が収納されている第１空間Ｋ２ａの温度上昇をより抑制することができる。
【００４８】
［第三実施形態］
≪第三実施形態に係るブース一体型装置２０１の構成≫
図１０を参照して、第三実施形態に係るブース一体型装置２０１の構成を説明する。なお、自動取引装置２は、第一実施形態のものと同様である。
【００４９】
第三実施形態に係るブース一体型装置２０１およびブース２０３は、上壁３１であって第１空間Ｋ２ａを構成する部分に排熱用ファン４６（排熱部）を設置した点が第一実施形態に係るブース３（図１参照）と異なる。つまり、排熱用ファン４６は、電子機器（ここでは、警報機器４２およびその他機器類４３）で暖められた空気を外部に排出するものである。排熱用ファン４６は、警報機器４２およびその他機器類４３のうちで最も温度が上昇する機器４３ａの真上に設置するのがよい。
【００５０】
≪第三実施形態に係るブース一体型装置２０１の使用方法≫
第三実施形態に係るブース一体型装置２０１の使用方法は、第一実施形態に係るブース一体型装置１と同様である。
【００５１】
なお、本実施形態においては、排熱用ファン４６が温度上昇が大きい機器４３ａの真上に配置されているので、機器４３ａの周りに風の流れ５５をつくる。さらに、温度上昇した機器４３ａの熱が風の流れ５５を形成する空気に放射され、熱を放射された空気は排熱用ファン４６によってブース２０３の外へ排出される。
【００５２】
以上のように、第三実施形態に係るブース一体型装置２０１およびブース２０３によっても、第一実施形態と略同等の効果を奏することができる。つまり、ブース一体型装置２０１は、背面に太陽光が照射された場合でも、太陽光により暖められた空気５２が第１空間Ｋ２ａに入り込むことはない。その結果、ブース２０３に収納する電子機器が許容温度を超えて壊れることを抑制することができるので、太陽光が照射される場所でブース一体型装置２０１を使用することができる。
【００５３】
また、第三実施形態に係るブース一体型装置２０１およびブース２０３は、排熱用ファン４６で熱くなった機器４３ａの周りに風の流れ５５をつくり、機器４３ａを冷ましながら第１空間Ｋ２ａ内の空気を排出する。そのため、ブース２０３に収納される電子機器の故障をより防ぐことができる。
特に、本実施形態では、仕切り部３９によって第１空間Ｋ２ａと第２空間Ｋ２ｂとを分けたので、第１空間Ｋ２ａの空気を自動取引装置２の排気用ファン５を用いて循環させることができない。しかし、排熱用ファン４６を設置することで、その問題も解消する。
【００５４】
［第四実施形態］
≪第四実施形態に係るブース一体型装置３０１の構成≫
図１１を参照して、第四実施形態に係るブース一体型装置３０１の構成を説明する。なお、自動取引装置２は、第一実施形態のものと同様である。
【００５５】
第四実施形態に係るブース一体型装置３０１およびブース３０３は、収納する中で最も温度が上昇する機器４３ａと排熱用ファン４６との間に筒状のダクト４７を設けた点が第三実施形態に係るブース２０１と異なる。筒状のダクト４７と機器４３ａとは、例えば、数ｍｍの隙間で配置する。
【００５６】
≪第四実施形態に係るブース一体型装置３０１の使用方法≫
第四実施形態に係るブース一体型装置３０１の使用方法は、第三実施形態に係るブース一体型装置２０１と同様である。
【００５７】
以上のように、第四実施形態に係るブース一体型装置３０１およびブース３０３によっても、第三実施形態と略同等の効果を奏することができる。つまり、ブース一体型装置３０１は、背面に太陽光が照射された場合でも、太陽光により暖められた空気５２が第１空間Ｋ２ａに入り込むことはない。その結果、ブース３０３に収納する電子機器が許容温度を超えて壊れることを抑制することができるので、太陽光が照射される場所でブース一体型装置３０１を使用することができる。
【００５８】
また、第四実施形態に係るブース一体型装置３０１およびブース３０３は、排熱用ファン４６と収納する中で最も温度が上昇する機器４３ａとの間に筒状のダクト４７を設けたことにより、機器４３ａの周りの空気の流れ５６がよくなる。そのため、機器４３ａからの熱の放射がより促進され、ブース３０３に収納される電子機器の故障をより防ぐことができる。
【００５９】
［第五実施形態］
≪第五実施形態に係るブース一体型装置４０１の構成≫
図１２を参照して、第五実施形態に係るブース一体型装置４０１の構成を説明する。なお、自動取引装置２は、第一実施形態のものと同様である。
【００６０】
第五実施形態に係るブース一体型装置４０１およびブース４０３は、上壁３１、左側壁３２、右側壁３３、前カバー３５、後壁３４および棚板３８によって構成される収納部３ａ（収納空間Ｋ２）に仕切り部３９（図６参照）を設けず、代わりに上壁３１に排熱用ファン４６を設置した点が第一実施形態に係るブース３（図１参照）と異なる。
【００６１】
排熱用ファン４６は、第三実施形態で説明したものと同様である。つまり、排熱用ファン４６は、電子機器（ここでは、警報機器４２およびその他機器類４３）で暖められた空気を外部に排出するものである。排熱用ファン４６は、警報機器４２およびその他機器類４３のうちで最も温度が上昇する機器の真上に設置するのがよい。
【００６２】
≪第五実施形態に係るブース一体型装置４０１の使用方法≫
図１２に示すように、自動取引装置２の内部で暖められた空気５１（外気に比べて暖かい空気）が排気用ファン５から自動取引装置２の後の後部空間Ｋ１ｃに排出される。ここで、後部空間Ｋ１ｃと収納空間Ｋ２とは繋がっているので、後部空間Ｋ１ｃ内の空気（暖められた空気５１も含む）の一部は、収納空間Ｋ２に移動する。また、晴れの日では、太陽光により暖められた空気５２は、後部空間Ｋ１ｃおよび収納空間Ｋ２内を上昇する。
【００６３】
一方、図７に示すように、自動取引装置２の左側部空間Ｋ１ａおよび右側部空間Ｋ１ｂの一部の空気５３は、自動取引装置２に設置される吸気用ファン４によって内部に吸い込まれる。また、自動取引装置２の左側部空間Ｋ１ａおよび右側部空間Ｋ１ｂの一部の空気５４は、上昇して警報機器４２（図６参照）およびその他機器類４３が収納される収納空間Ｋ２（図１２参照）に移動する。
【００６４】
そして、左側部空間Ｋ１ａ、右側部空間Ｋ１ｂおよび後部空間Ｋ１ｃから収納空間Ｋ２に移動した空気は、排熱用ファン４６、後壁３４の上部に設けられた通気孔３４ａ、ブース３の左側壁３２の上部に設けられた通気孔３２ａ、および右側壁３３の上部に設けられた通気孔３３ａから外部に排出される。
【００６５】
以上のように、第五実施形態に係るブース一体型装置４０１およびブース４０３は、排熱用ファン４６で太陽光により暖められた空気５２を排出する。そのため、ブース４０３に収納する電子機器が許容温度を超えて壊れることを抑制することができるので、太陽光が照射される場所でブース一体型装置４０１を使用することができる。
【００６６】
［変形例］
以上、本発明の各実施形態について説明したが、本発明はこれに限定されるものではなく、特許請求の範囲の趣旨を変えない範囲で実施することができる。
【００６７】
第一実施形態では、仕切り部３９として板状の部材を想定していた。しかしながら、仕切り部３９は、シート状の部材や布状の部材であってもよい。また、仕切り部３９は、遮熱性の高い部材（遮熱板や遮熱シートなど）であることが好ましい。第二ないし第四実施形態についても同様である。
【００６８】
また、第一実施形態では、ブース一体型装置１の背面をガラス張りの壁側に向けて設置し、ブース３の後壁３４に太陽光が照射されることを想定していた。そのため、図５に示すように、仕切り部３９を、棚板３８の奥側であってブース３の後壁３４に対して平行に設置し、太陽光により暖められた空気５２が電子機器を収納する空間に入り込まないようにしていた。しかしながら、ブース一体型装置１を設置する場所によっては、太陽光が照射されるのがブース一体型装置１の背面ではなく側面になることも考えられる。
【００６９】
その場合、仕切り部３９を、棚板３８の奥側ではなく、太陽光が照射される側壁側であって、左側壁３２および右側壁３３に対して平行に設置する。これによって、第一実施形態と同様の空気の流れになる。
例えば、太陽光が左側壁３２に照射される場合、収納空間Ｋ２を、左側部空間Ｋ１ａに繋がる第１空間Ｋ２ａと、後部空間Ｋ１ｃおよび右側部空間Ｋ１ｂに繋がる第２空間Ｋ２ｂとに分割する。そして、電子機器を第２空間Ｋ２ｂに収納する。
また、太陽光が右側壁３３に照射される場合、収納空間Ｋ２を、右側部空間Ｋ１ｂに繋がる第１空間Ｋ２ａと、後部空間Ｋ１ｃおよび左側部空間Ｋ１ａに繋がる第２空間Ｋ２ｂとに分割する。そして、電子機器を第２空間Ｋ２ｂに収納する。
なお、第二ないし第四実施形態についても同様である。
【００７０】
また、第二実施形態では、後部空間Ｋ１ｃ（図８参照）および第２空間Ｋ２ｂ（図９参照）に太陽光により暖められた空気５２が収納されるので、後壁１３４が波板材となっていた。しかしながら、前記説明した変形例のように、太陽光によって暖められた空気５２が左側部空間Ｋ１ａおよび第１空間Ｋ２ａに収納される場合、左側壁３２を波板材とするのがよい。同様に、太陽光によって暖められた空気５２が右側部空間Ｋ１ｂおよび第１空間Ｋ２ａに収納される場合、右側壁３３を波板材とするのがよい。
【符号の説明】
【００７１】
１，１０１，２０１，３０１，４０１  ブース一体型装置
２      自動取引装置
３，１０３，２０３，３０３，４０３  ブース
３ａ    収納部
４      吸気用ファン（吸気部）
５      排気用ファン（排気部）
３１    上壁
３２    左側壁（側壁）
３３    右側壁（側壁）
３４，１３４  後壁
３５    前カバー
３６Ｌ，３６Ｒ  柱部（支持部材）
３７Ｌ，３７Ｒ  補強部（支持部材）
３８    棚板
３９    仕切り部
４０    覗き見防止板
４１    ディスプレイ
４２    警報機器（電子機器）
４３    その他機器類（電子機器）
４６    排熱用ファン（排熱部）
４７    ダクト
【図１】
2019168825.tif 000003
【図２】
2019168825.tif 000004
【図３】
2019168825.tif 000005
【図４】
2019168825.tif 000006
【図５】
2019168825.tif 000007
【図６】
2019168825.tif 000008
【図７】
2019168825.tif 000009
【図８】
2019168825.tif 000010
【図９】
2019168825.tif 000011
【図１０】
2019168825.tif 000012
【図１１】
2019168825.tif 000013
【図１２】
2019168825.tif 000014